(57)【要約】      （修正有）【課題】情報記録再生システムにおいて、記憶領域を再利用し、運用コストを低減する。【解決手段】情報記録再生システムに対し記録されるデータのファイル名、ファイルの種類、データの更新回数、データの保存期限設定といったデータの性質を管理し、データの性質に対する所定の条件に応じて、記録先の記録媒体として書換型記録媒体および追記型記録媒体のいずれかを選択する。【選択図】図１
2014071923.tif 000002
【特許請求の範囲】
【請求項１】
情報の記録再生を行う情報記録再生システムであって、
記録される情報の書換が可能な書換型記録媒体と、
記録される情報の書換が不可能な追記型記録媒体と、
前記書換型記録媒体および前記追記型記録媒体に対し、情報を記録再生する記録再生部と、
記録再生される情報の入出力が可能なインターフェース部と、
記録再生される情報の一時的な保存が可能な情報一時保存部と、
前記情報一時保存部に保存されている情報の性質を管理する情報性質管理部と、
前記情報性質管理部が管理している前記情報の性質を抽出する情報性質抽出部と、
情報の記録先として前記書換型記録媒体および前記追記型記録媒体のうちいずれか一つを選択する記録媒体選択部と、
前記情報記録再生システムにおける記録再生処理を司る制御部と、
前記記録再生部に対し前記書換型記録媒体および前記追記型記録媒体を搬送する、前記制御部により制御される記録媒体搬送部とを備えており、
前記記録媒体選択部は、前記情報性質抽出部の抽出結果を受信し、前記情報一時保存部に保存されている情報が所定の条件を満足するか判断を行い、
前記判断の結果に基づいて、前記書換型記録媒体および前記追記型記録媒体のうちいずれか一つを選択し、
前記記録再生部が前記書換型記録媒体または前記追記型記録媒体に対し、情報の記録を行うことを特徴とする情報記録再生システム。
【請求項２】
情報の記録再生を行う情報記録再生システムであって、
記録される情報の書換が可能な書換型記録媒体と、
記録される情報の書換が不可能な追記型記録媒体と、
前記書換型記録媒体に対し、情報を記録再生する第一の記録再生部と、
前記追記型記録媒体に対し、情報を記録再生する第二の記録再生部と、
記録再生される情報の入出力が可能なインターフェース部と、
記録再生される情報の一時的な保存が可能な情報一時保存部と、
前記情報一時保存部に保存されている情報の性質を管理する情報性質管理部と、
前記情報性質管理部が管理している前記情報の性質を抽出する情報性質抽出部と、
情報の記録先として前記書換型記録媒体および前記追記型記録媒体のうちいずれか一つを選択する記録媒体選択部と、
前記情報記録再生システムにおける記録再生処理を司る制御部と、
前記第二の記録再生部に対し前記追記型記録媒体を搬送する、前記制御部により制御される記録媒体搬送部とを備えており、
前記記録媒体選択部は、前記情報性質抽出部の抽出結果を受信し、前記情報一時保存部に保存されている情報が所定の条件を満足するか判断を行い、
前記判断の結果に基づいて、前記書換型記録媒体および前記追記型記録媒体のうちいずれか一つを選択し、
前記第一の記録再生部または前記第二の記録再生部が、選択された記録媒体に対し情報の記録を行うことを特徴とする情報記録再生システム。
【請求項３】
請求項１又は請求項２に記載の情報記録再生システムにおいて、前記情報はデータとして取り扱われ、
前記情報性質管理部が管理する前記情報の性質は、前記データのファイル名、該ファイルの種類、前記データの更新回数、前記データの保存期限設定情報のうち、少なくともいずれか一つであることを特徴とする情報記録再生システム。
【請求項４】
請求項３記載の情報記録再生システムにおいて、
前記情報性質管理部が管理を行う前記情報の性質が、前記ファイル名もしくは前記ファイルの種類の場合、
前記記録媒体選択部が判断を行う前記所定の条件は、前記情報一時保存部に保存されている情報の編集が許可されているか否かを判断する条件であり、
前記ファイル名もしくは前記ファイルの種類が、情報の編集を許可することを示す場合には、前記書換型記録媒体に対し情報の記録を行い、
前記ファイル名もしくは前記ファイルの種類が、情報の編集を許可しないことを示す場合には、前記追記型記録媒体に対し情報の記録を行うことを特徴とする情報記録再生システム。
【請求項５】
請求項３記載の情報記録再生システムにおいて、
前記情報性質管理部が管理を行う前記情報の性質が、前記データの更新回数の場合、
前記記録媒体選択部が判断を行う前記所定の条件は、前記情報一時保存部に保存されている情報の更新回数が所定の閾値以上か否かを判断する条件であり、
前記データの更新回数が所定の閾値以上である場合には、前記書換型記録媒体に対し情報の記録を行い、
前記データの更新回数が所定の閾値未満である場合には、前記追記型記録媒体に対し情報の記録を行うことを特徴とする情報記録再生システム。
【請求項６】
請求項５記載の情報記録再生システムにおいて、
前記制御部は、前記書換型記録媒体に記録されている前記データの前記更新回数を参照し、
前記更新回数が所定の期間以上更新されない場合に、該データの記録先を前記書換型記録媒体から前記追記型記録媒体に移動することを特徴とする情報記録再生システム。
【請求項７】
請求項３記載の情報記録再生システムにおいて、
前記情報性質管理部が管理を行う前記情報の性質が、前記データの保存期限設定情報の場合、
前記記録媒体選択部が判断を行う前記所定の条件は、前記情報一時保存部に保存されている情報に保存期限が設定されているか否かを判断する条件であり、
前記データに保存期限が設定されている場合には、書換型記録媒体に対し情報の記録を行い、
前記データに保存期限が設定されていない場合には、追記型記録媒体に対し情報の記録を行うことを特徴とする情報記録再生システム。
【請求項８】
請求項７記載の情報記録再生システムにおいて、
前記制御部は、前記書換型記録媒体に記録されている前記データの前記保存期限設定情報を参照し、
所定の前記保存期限を超えて保存されている前記データが存在する場合に、該データの消去を行うことを特徴とする情報記録再生システム。
【請求項９】
請求項１又は請求項２に記載の情報記録再生システムにおいて、
前記追記型記録媒体は、追記型光ディスクまたは追記型磁気テープまたは追記型半導体メモリのうち、少なくともいずれか一つで構成されていることを特徴とする情報記録再生システム。
【請求項１０】
情報の記録再生を行う情報記録再生システムにおける情報記録方法であって、
記録される情報の書換が可能な書換型記録媒体および、記録される情報の書換が不可能な追記型記録媒体に対し、情報を記録する記録ステップと、
記録再生される情報の入出力を行う入出力ステップと、
記録再生される情報の一時的な保存を行う情報一時保存ステップと、
前記情報一時保存ステップにおいて保存される情報の性質を管理する情報性質管理ステップと、
前記情報性質管理ステップにおいて管理されている前記情報の性質を抽出する情報性質抽出ステップと、
情報の記録先として前記書換型記録媒体および前記追記型記録媒体のうちいずれか一つを選択する記録媒体選択ステップと、
前記情報記録再生システムにおける記録再生処理を制御する制御ステップと、
前記記録ステップの実施前後に、前記書換型記録媒体および前記追記型記録媒体を搬送する、前記制御ステップにより実施される記録媒体搬送ステップとを含み、
前記記録媒体選択ステップでは、前記情報性質抽出ステップにおける抽出結果を受信し、前記情報一時保存ステップにおいて保存される情報が所定の条件を満足するか判断を行い、
前記判断の結果に基づいて、前記書換型記録媒体および前記追記型記録媒体のうちいずれか一つを選択し、
前記記録ステップにおいて前記書換型記録媒体または前記追記型記録媒体に対し、情報の記録が行われることを特徴とする情報記録方法。
【請求項１１】
情報の記録再生を行う情報記録再生システムにおける情報記録方法であって、
記録される情報の書換が可能な書換型記録媒体に情報を記録する、第一の記録ステップと、
記録される情報の書換が不可能な追記型記録媒体に情報を記録する、第二の記録ステップと、
記録再生される情報の入出力を行う入出力ステップと、
記録再生される情報の一時的な保存を行う情報一時保存ステップと、
前記情報一時保存ステップにおいて保存される情報の性質を管理する情報性質管理ステップと、
前記情報性質管理ステップにおいて管理されている前記情報の性質を抽出する情報性質抽出ステップと、
情報の記録先として前記書換型記録媒体および前記追記型記録媒体のうちいずれか一つを選択する記録媒体選択ステップと、
前記情報記録再生システムにおける記録再生処理を制御する制御ステップと、
前記記録ステップの実施前後に前記追記型記録媒体を搬送する、前記制御ステップにより実施される記録媒体搬送ステップとを含み、
前記記録媒体選択ステップでは、前記情報性質抽出ステップにおける抽出結果を受信し、前記情報一時保存ステップにおいて保存される情報が所定の条件を満足するか判断を行い、
前記判断の結果に基づいて、前記書換型記録媒体および前記追記型記録媒体のうちいずれか一つを選択し、
前記第一の記録ステップまたは前記第二の記録ステップにより、前記書換型記録媒体または前記追記型記録媒体に対し、情報の記録が行われることを特徴とする情報記録方法。
【請求項１２】
請求項１０又は請求項１１に記載の情報記録方法において、前記情報はデータとして取り扱われ、
前記情報性質管理ステップにおいて管理される前記情報の性質は、前記データのファイル名、該ファイルの種類、前記データの更新回数、前記データの保存期限設定情報のうち、少なくともいずれか一つであることを特徴とする情報記録方法。
【請求項１３】
請求項１２記載の情報記録方法において、
前記情報性質管理ステップにおいて管理される前記情報の性質が、前記ファイル名もしくは前記ファイルの種類の場合、
前記記録媒体選択ステップにおいて判断される前記所定の条件は、前記情報一時保存ステップにて保存される情報の編集が許可されているか否かを判断する条件であり、
前記ファイル名もしくは前記ファイルの種類が、情報の編集を許可することを示す場合には、前記記録ステップまたは前記第一の記録ステップにより前記書換型記録媒体に対し情報の記録が行われ、
前記ファイル名もしくは前記ファイルの種類が、情報の編集を許可しないことを示す場合には、前記記録ステップまたは前記第二の記録ステップにより前記追記型記録媒体に対し情報の記録が行われることを特徴とする情報記録方法。
【請求項１４】
請求項１２記載の情報記録方法において、
前記情報性質管理ステップにおいて管理される前記情報の性質が、前記データの更新回数の場合、
前記記録媒体選択ステップにおいて判断される前記所定の条件は、前記情報一時保存ステップにて保存される情報の更新回数が所定の閾値以上か否かを判断する条件であり、
前記データの更新回数が所定の閾値以上である場合には、前記記録ステップまたは前記第一の記録ステップにより前記書換型記録媒体に対し情報の記録が行われ、
前記データの更新回数が所定の閾値未満である場合には、前記記録ステップまたは前記第二の記録ステップにより前記追記型記録媒体に対し情報の記録が行われることを特徴とする情報記録方法。
【請求項１５】
請求項１２記載の情報記録方法において、
前記情報性質管理ステップにおいて管理される前記情報の性質が、前記データの保存期限設定情報の場合、
前記記録媒体選択ステップにおいて判断される前記所定の条件は、前記情報一時保存ステップにて保存される情報に保存期限が設定されているか否かを判断する条件であり、
前記データに保存期限が設定されている場合には、前記記録ステップまたは前記第一の記録ステップにより書換型記録媒体に対し情報の記録が行われ、
前記データに保存期限が設定されていない場合には、前記記録ステップまたは前記第二の記録ステップにより追記型記録媒体に対し情報の記録が行われることを特徴とする情報記録方法。
【発明の詳細な説明】
【技術分野】
【０００１】
本発明は、データを記録再生する情報記録再生システムに係り、書換型記録媒体と追記型記録媒体の両方を具備した情報記録再生システムにおいて、書換型記録媒体に記録するデータと追記型記録媒体に記録するデータの選択方法に関する。
【背景技術】
【０００２】
光ディスクを複数枚使用したライブラリ装置や電子データの長期保存を目的としたアーカイブ装置が開発されており、例えば特許文献１に記載の発明が開示されている。特許文献１には、「種類の異なる光ディスク等の情報記録媒体が混在するライブラリ装置」が記載されている。
【先行技術文献】
【特許文献】
【０００３】
【特許文献１】特開２０００−４８４４９号公報
【発明の概要】
【発明が解決しようとする課題】
【０００４】
上述の特許文献１では、種類の異なる情報記録媒体が混在するライブラリ装置において、情報記録媒体の迅速な記録再生を行う方法が述べられている。しかしながら、特許文献１では記録するデータの性質に応じて記録媒体を選択することは考慮されておらず、書換型記録媒体と追記型記録媒体の使い分けについても考慮されていなかった。そのため、追記型記録媒体に更新もしくは消去されるデータを書き込んでしまうと、将来的にデータの更新や消去がなされた場合、追記型記録媒体の記録領域が再利用できないばかりか、無駄な記録媒体の運用コストが発生することになる。
【０００５】
本発明の目的は、情報記録再生システムにおいて記憶領域を再利用し、運用コストを低減することである。
【課題を解決するための手段】
【０００６】
上述の目的を解決するため、本発明では一例として特許請求の範囲記載の構成を用いる。
【発明の効果】
【０００７】
本発明の目的によれば、情報記録再生システムにおいて記憶領域を再利用し、運用コストを低減することができる。
【図面の簡単な説明】
【０００８】
【図１】第１実施例における情報記録再生システムのブロック図
【図２】第１実施例における記録動作のフローチャート
【図３】記録先の光ディスクを選択する第１実施例のフローチャート
【図４】記録先の光ディスクを選択する第２実施例のフローチャート
【図５】記録先の光ディスクを選択する第３実施例のフローチャート
【図６】記録先の光ディスクを選択する第４実施例のフローチャート
【図７】第５実施例における再生動作およびリフレッシュ動作のフローチャート
【図８】光ディスクの情報を消去する第５実施例のフローチャート
【図９】光ディスクの情報を移動する第５実施例のフローチャート
【図１０】第６実施例における情報記録再生システムのブロック図
【発明を実施するための形態】
【０００９】
以下、本発明に従う情報記録再生システムの実施例を、図面を用いて説明する。
【実施例１】
【００１０】
本発明の第１実施例としての情報記録再生システムの構成ならびに記録再生動作を、図面を参照しながら詳述する。
【００１１】
図１は第１実施例における情報記録再生システム１００のブロック図である。本実施例の情報記録再生システム１００は、インターフェース部１０１、情報一時保存部１０２、情報性質管理部１０３、情報性質抽出部１０４、記録媒体選択部１０５、制御部１０６、記録再生部１０７、記録媒体搬送部１０８、書換型光ディスク１０９、追記型光ディスク１１０、および書換型光ディスク１０９と追記型光ディスク１１０を格納するカートリッジ１１１とで構成される。
【００１２】
情報記録再生システム１００は、インターフェース部１０１にて外部のサーバ１１と接続され、サーバ１１より記録や再生といった各種のコマンドや、記録するデータおよび記録するデータの性質を受信する。また、情報記録再生システム１００は、サーバ１１に対しコマンドの実行結果や再生したデータを送信する。なお、サーバ１１はネットワーク１０に接続されており、ネットワーク１０とサーバ１１の間でデータやコマンドの送受信が可能である。
【００１３】
インターフェース部１０１は記録や再生といった各種のコマンドをサーバ１１より受信して制御部１０６へ送信する。また、インターフェース部１０１は、記録されるデータおよび記録されるデータの性質をサーバ１１より受信して情報一時保存部１０２に送信する。また、インターフェース部１０１は、再生されるデータを情報一時保存部１０２より受信してサーバ１１に送信する。
情報一時保存部１０２は、インターフェース部１０１から送信された記録するデータおよび、記録するデータの性質を一時的に保存する。また、情報一時保存部１０２は、記録するデータを記録再生部１０７に送信する。また、情報一時保存部１０２は、記録再生部１０７より受信した再生するデータを一時的に保存する。また、情報一時保存部１０２は、一時的に保存されている再生するデータをインターフェース部１０１に対して送信する。なお、情報一時保存部１０２の全ての動作は、制御部１０６の制御コマンドに基づいて行われる。
【００１４】
情報性質管理部１０３は、情報一時保存部１０２に保存された記録するデータの性質を確認し、記録するデータの性質を管理する性質管理情報を作成する。その後、情報性質管理部１０３は、作成した性質管理情報を情報性質抽出部１０４に対し送信する。ここで記録するデータの性質とは、例えばデータのファイル名、ファイルの拡張子に代表されるファイル種別、データの更新回数、またはデータの保存期限設定情報などである。なお、情報性質管理部１０３が管理する性質管理情報は、情報一時保存部１０２に保存されているデータの変化に応じて、逐次更新が行われる。
【００１５】
情報性質抽出部１０４は、情報性質管理部１０３から性質管理情報を受信し、データの記録先となる記録媒体の選択に必要な性質管理情報のみを抽出し、性質抽出結果を作成する。その後、情報性質抽出部１０４は性質抽出結果を記録媒体選択部１０５に送信する。
【００１６】
記録媒体選択部１０５は、情報性質抽出部１０４から受信した性質抽出結果が所定の条件を満足するか判断し、情報一時保存部１０２に保存されているデータの記録先として書換型光ディスク１０９もしくは追記型光ディスク１１０のいずれか一つを選択し、その記録媒体選択結果を制御部１０６に送信する。
【００１７】
制御部１０６は、インターフェース部１０１より受信した記録コマンドと、記録媒体選択部１０５より受信した記録媒体選択結果に基づき、記録動作に必要な制御コマンドを情報一時保存部１０２、記録再生部１０７、記録媒体搬送部１０８に送信する。また、制御部１０６は、インターフェース部１０１より受信した再生コマンドに基づき、再生動作に必要な制御コマンドを情報一時保存部１０２、記録再生部１０７、記録媒体搬送部１０８に対し送信する。
【００１８】
記録再生部１０７は、記録媒体搬送部１０８より搬送された書換型光ディスク１０９もしくは追記型光ディスク１１０に対して情報の記録再生を行う。また、記録再生部１０７は、記録媒体搬送部１０８より搬送された書換型光ディスク１０９または追記型光ディスク１１０から再生したデータを、情報一時保存部１０２に対し送信する。また、記録再生部１０７は必要に応じて、記録媒体搬送部１０８に対し光ディスクのロードまたはイジェクトを行う。なお、記録再生部１０７の全ての動作は、制御部１０６の制御コマンドに基づいて行われる。
【００１９】
記録媒体搬送部１０８は、制御部１０６より受信した制御コマンドに基づいて、書換型光ディスク１０９もしくは追記型光ディスク１１０を記録再生部１０７に搬送すると共に、記録再生部１０７からイジェクトされた書換型光ディスク１０９もしくは追記型光ディスク１１０を、カートリッジ１１１に設けられた所定のスロットに搬送して収納する。
【００２０】
書換型光ディスク１０９および追記型光ディスク１１０は、少なくとも１枚以上の光ディスクで構成されており、記録媒体搬送部１０８により記録再生部１０７へと搬送され、データの記録再生が行われる。
【００２１】
カートリッジ１１１は、書換型光ディスク１０９および追記型光ディスク１１０を格納しており、情報記録再生システム１００より着脱することが可能である。また、カートリッジ１１１は複数のスロットを備えており、各スロットには１枚ずつ書換型光ディスク１０９もしくは追記型光ディスク１１０を収納することができる。
【００２２】
次に、情報記録再生システム１００の記録動作について説明する。図２は本発明における情報記録再生システム１００の記録動作のフローチャートを示す。
【００２３】
状態２０１では、制御部１０６が記録コマンドを受信し、記録動作を開始する。その後、記録されるデータをサーバ１１より受信し、そのデータは情報一時保存部１０２に保存される（状態２０２）。情報性質管理部１０３は、情報一時保存部１０２に保存されたデータの性質を管理する性質管理情報を作成または更新し（状態２０３）、情報性質管理部１０３が作成または更新した性質管理情報は情報性質抽出部１０４に送られる。その後、情報性質抽出部１０４は受信した性質管理情報から、データの記録先となる記録媒体の選択に必要なデータの性質を抽出し、性質抽出結果を作成する（状態２０４）。その性質抽出結果は記録媒体選択部１０５に送られ、記録媒体選択部１０５はその性質抽出結果を用いて、情報一時保存部１０２に保存されている記録するデータ（以下、記録待ちデータ）が所定の条件を満足するか判断し、記録媒体を選択する（状態２０５）。そして、記録媒体搬送部１０８が記録再生部１０７へ光ディスクを搬送する（状態２０６）。最後に、記録再生部１０７が記録待ちデータを書換型光ディスク１０９もしくは追記型光ディスク１１０に記録し（状態２０７）、記録動作が終了する（状態２０８）。なお、記録媒体選択部１０５が行う判断の内容と所定の条件に関する詳細は後述する。
【００２４】
また、カートリッジ１１１に格納された記録媒体に記録されるデータの管理情報は、記録待ちデータの記録が完了した後に書換型光ディスク１０９に記録される。なお、管理情報の記録先は書換型光ディスク１０９に限らず、情報記録再生システム１００内のいずれかの記憶領域、または情報記録再生システム１００より参照可能な情報記録再生システム１００外のいずれかの記憶領域であってもよい。また、管理情報は記録待ちデータのファイル名、ファイル数、フォルダ構造に代表されるファイルの階層構造、ファイルの拡張子に代表されるファイル種別、読み取り専用や隠しファイルに代表されるファイルの属性、ファイルの作成日時、ファイルの更新日時、ファイルの更新回数のうち、少なくともいずれか１つ以上を含むことにより構成される。
【００２５】
ところで、カートリッジ１１１内に書換型光ディスク１０９と追記型光ディスク１１０を一緒に格納することには２つのメリットが存在する。１つ目のメリットは、カートリッジ１１１単位で管理情報の作成・更新が行える点であり、２つ目のメリットは、情報記録再生システム１００から書換型光ディスク１０９と追記型光ディスク１１０を一度に交換できるため、保管や移動などの取扱いが容易になる点である。
【００２６】
図３は状態２０５に関する動作のフローチャートを示す。
【００２７】
情報性質抽出部１０４は、データの記録先となる記録媒体の選択に必要な性質管理情報として、例えばデータの編集可否を示す性質を抽出する。記録媒体選択部１０５は、情報性質抽出部１０４より受信したデータの編集可否を示す性質抽出結果に基づき、データの記録先としての記録媒体を選択する。ここで、データの編集可否を示す性質とは、例えば記録待ちデータのファイル名などである。ここでは、ファイル名から改ざんが法定で禁止されている書類名のキーワードを抽出して、データの記録先を判断する方法について説明する。
【００２８】
例えば図３では、記録媒体選択開始後（状態３０１）、記録媒体選択部１０５は、記録待ちデータのファイル名に改ざんが法定で禁止されている書類名のキーワード（例えば、資産、負債、資本など）が含まれているか否かを性質抽出結果から検索する（状態３０２）。ファイル名にキーワードが含まれていない場合には、そのデータが編集可能であると判断し（状態３０３）、そのデータの記録先として書換型光ディスク１０９を選択する（状態３０４）。ファイル名にキーワードが含まれている場合には、そのデータが編集不可能であると判断し（状態３０３）、そのデータの記録先として追記型光ディスク１１０を選択し（状態３０５）、記録媒体選択終了となる（状態３０６）。
【００２９】
以上の方法を用いて、ファイル名により編集可否を判断することで、今後編集される可能性の高いデータを抽出して、書換型光ディスク１０９のような書換型記録媒体に対しデータを記録することができる。編集される可能性の高いデータを書換型記録媒体に記録すれば、データが編集された場合に記録領域を再利用することができるため、ユーザは記録媒体の運用においてコストメリットを得ることができる。
【００３０】
なお、追記型光ディスク以外の追記型記録媒体として、追記型磁気テープや追記型半導体メモリなど、一度記録した情報を消去することができない機能を有する記録媒体を用いても、同様の動作を実現することが可能である。また、書換型光ディスク以外の書換型記録媒体として、書換型磁気テープや書換型半導体メモリ、磁気ディスクや光磁気ディスクなど、一度記録した情報を消去し、情報が消去された領域に再度情報を記録する機能を有する記録媒体を用いても、同様の動作を実現することが可能である。
【実施例２】
【００３１】
図４は第１実施例において、前述した状態２０５の別の形態を示したものである。
【００３２】
情報性質抽出部１０４は、データの記録先となる記録媒体の選択に必要な性質管理情報として、例えばデータの編集可否を示す性質を抽出する。記録媒体選択部１０５は、情報性質抽出部１０４より受信したデータの編集可否を示す性質抽出結果に基づき、データの記録先としての記録媒体を選択する。ここで、データの編集可否を示す性質とは、例えば記録待ちデータのファイルの拡張子で代表されるファイル種別や、読み取り専用などの属性を示すファイル属性などである。ここでは、編集不可能なファイル種別を示すファイルの拡張子である“．ｐｄｆ”を抽出してデータの記録先を判断する方法について説明する。
【００３３】
記録媒体選択開始後（状態４０１）、記録媒体選択部１０５は、ファイルの拡張子としてＰＤＦファイルの拡張子．ｐｄｆを持つデータが含まれているか否かを性質抽出結果から検索する（状態４０２）。状態４０３にて、編集が可能なことを示す拡張子を持つと判断した場合は、データの記録先として書換型光ディスク１０９を選択し（状態４０４）、状態４０３にてｐｄｆのように編集が不可能なことを示す拡張子を持つと判断した場合は、データの記録先として追記型光ディスク１１０を選択し（状態４０５）、記録媒体選択終了となる（状態４０６）。
【００３４】
以上の方法を用いて、ファイルの拡張子により編集可否を判断することで、今後編集される可能性の高いデータを抽出して、書換型光ディスク１０９のような書換型記録媒体に対しデータを記録することができる。編集される可能性の高いデータを書換型記録媒体に記録すれば、データが編集された場合に記録領域を再利用することができるため、ユーザは記録媒体の運用においてコストメリットを得ることができる。
【実施例３】
【００３５】
図５は第１実施例において、前述した状態２０５の別の形態を示したものである。
情報性質抽出部１０４は、データの記録先となる記録媒体の選択に必要な性質管理情報として、例えばデータの更新回数を示す性質を抽出する。記録媒体選択部１０５は、情報性質抽出部１０４より更新回数情報を示す性質抽出結果に基づき、更新回数が所定の閾値以上か否かを判断し、データの記録先としての記録媒体を選択する。
【００３６】
記録媒体選択開始後（状態５０１）、記録媒体選択部１０５は、例えば記録待ちデータの更新回数を参照する（状態５０２）。記録媒体選択部１０５は記録待ちデータの更新回数情報を示す性質抽出結果に基づき、更新回数が所定の閾値以上か判断し（状態５０３）、閾値以上の場合にはそのデータは今後も更新される可能性が高いと判断し、そのデータの記録先として書換型光ディスク１０９を選択する（状態５０４）。また、状態５０３における判断結果が閾値未満の場合にはそのデータは今後更新される可能性が低いと判断し、そのデータの記録先として追記型光ディスク１１０を選択し（状態５０５）、記録媒体選択終了となる（状態５０６）。
【００３７】
以上の方法を用いて、データの更新回数を判断することで、今後更新される可能性の高いデータを抽出して、書換型光ディスク１０９のような書換型記録媒体に対しデータを記録することができる。更新される可能性の高いデータを書換型記録媒体に記録すれば、データが更新された場合に記録領域を再利用することができるため、ユーザは記録媒体の運用においてコストメリットを得ることができる。
【実施例４】
【００３８】
図６は第１実施例において、前述した状態２０５の別の形態を示したものである。
【００３９】
情報性質抽出部１０４は、データの記録先となる記録媒体の選択に必要な性質管理情報として、例えばデータの保存期限を示す性質を抽出する。記録媒体選択部１０５は、情報性質抽出部１０４より受信したデータの保存期限設定情報を示す性質抽出結果に基づき、データの記録先としての記録媒体を選択する。ここで、データの保存期限を示す性質とは、例えば法定で定められた文書の保存期限がある。データの保存期限設定情報の例としては、商法で義務付けられている商業帳簿など財務書類の保存期間：１０年、税法で義務付けられている帳簿（資産、負債、資本に影響を及ぼす書類）の保存期間：７年、医師法で義務付けられている診療録の保存期間：５年などが挙げられる。
【００４０】
記録媒体選択開始後（状態６０１）、記録媒体選択部１０５は、例えば記録待ちデータの保存期限設定情報の有無を確認する（状態６０２）。その後、記録待ちデータが保存期限設定情報を保有しているか判断し（状態６０３）、保存期限設定情報を保有している場合には、そのデータは今後消去される可能性が高いと判断し、そのデータの記録先として書換型光ディスク１０９を選択する（状態６０４）。また、記録待ちデータが保存期限設定情報を保有しているか判断し（状態６０３）、記録待ちデータが保存期限設定情報を保有していない場合には、そのデータは今後も消去される可能性が低いと判断し、そのデータの記録先として追記型光ディスク１１０を選択し（状態６０５）、記録媒体選択終了となる（状態６０６）。
【００４１】
以上の方法を用いて、データの保存期限を判断することで、今後消去される可能性の高いデータを抽出して、書換型光ディスク１０９のような書換型記録媒体に対しデータを記録することができる。消去される可能性の高いデータを書換型記録媒体に記録すれば、データが消去された場合に記録領域を再利用することができるため、ユーザは記録媒体の運用においてコストメリットを得ることができる。
【００４２】
また、実施例１〜４で示した方法の他にも、データの最終更新時刻を起点とした経過時間と所定の時間を比較して記録先の記録媒体を判断する方法や、ユーザによるポリシー設定の有無を確認して記録先の記録媒体を判断する方法などがある。なお、記録先の記録媒体を判断するこれらの方法は、単独で用いてもよいし、複数を組み合わせて用いても構わない。
【実施例５】
【００４３】
図７は、本発明における情報記録再生システム１００の再生動作の後にリフレッシュ動作を行うフローチャートの一例を示す。状態７０２〜７０５が再生動作を、状態７０６〜７０８がリフレッシュ動作を示している。
【００４４】
状態７０１では、制御部１０６がサーバ１１よりコマンドを受信し、再生動作およびリフレッシュ動作を開始する。その後、制御部１０６はカートリッジ１１１の管理情報を参照し、サーバ１１より再生要求のあったデータが追記型光ディスク１１０に記録されているか否かを判断する（状態７０２）。再生が要求されたデータが追記型光ディスク１１０に記録されている場合には、記録媒体搬送部１０８が記録再生部１０７に対し追記型光ディスク１１０を搬送し、記録再生部１０７よりデータが再生される（状態７０３）。また、再生が要求されたデータが書換型光ディスク１０９に記録されている場合には、記録媒体搬送部１０８が記録再生部１０７に対し書換型光ディスク１０９を搬送し、記録再生部１０７よりデータが再生される（状態７０４）。状態７０３もしくは状態７０４の処理が完了した後、制御部１０６はサーバ１１より再生コマンドが送信されてくるか確認し、再生要求のあった全データの再生が完了したか判断を行う（状態７０５）。再生が要求された全データの再生が完了している場合には状態７０６に遷移し、完了していない場合には状態７０２に遷移する。状態７０６では、制御部１０６が書換型光ディスク１０９に記録されているリフレッシュ履歴情報を参照し、書換型光ディスク１０９の記憶領域をリフレッシュしてから所定の時間が経過したか否かを判断する。記憶領域をリフレッシュしてから所定の時間が経過している場合には状態７０７に遷移し、所定の時間が経過していない場合には状態７０９に遷移する。状態７０７では、書換型光ディスク１０９に保存されているデータのうち、設定された保存期限を越えて保存されているデータの消去を行う。なお、データ消去が行われる前に、サーバ１１はユーザに対し確認メッセージを表示し、ユーザが消去処理を了承した場合にのみデータの消去が行われる。その後、書換型光ディスク１０９に保存されている、所定の期間以上更新されていないデータを追記型光ディスク１１０へ移動する（状態７０８）。状態７０８もしくは状態７０６の処理が完了した後、再生動作およびリフレッシュ動作が終了する（状態７０９）。なお、状態７０７と状態７０８の詳細については後述する。また、書換型光ディスク１０９および追記型光ディスク１１０が複数ある場合には、全てのディスクに対し繰り返し同様の処理が適用される。
【００４５】
図８は状態７０７に関する動作のフローチャートを示す。
まず、保存期限を越えているデータの消去開始後（状態８０１）、記録媒体搬送部１０８が記録再生部１０７へ書換型光ディスク１０９を搬送する（状態８０２）。その後、制御部１０６が書換型光ディスク１０９に記録されているデータの保存期限設定情報を参照し、設定された保存期限を越えて保存されているデータが存在する場合には（状態８０３）、そのデータを消去し（状態８０４）、保存期限を越えているデータの消去終了となる（状態８０５）。
【００４６】
図９は、状態７０８に関する動作のフローチャートを示す。
【００４７】
まず、所定の期間以上更新されていないデータの移動開始後（状態９０１）、制御部１０６が書換型光ディスク１０９に記録されているデータの更新回数情報を参照し（状態９０２）、書換型光ディスク１０９に所定の期間以上更新されていないデータがある場合、所定の期間以上更新されていないデータを書換型光ディスク１０９から情報一時保存部１０２へ移動し（状態９０３）、記録媒体搬送部１０８が記録再生部１０７からカートリッジ１１１へ書換型光ディスク１０９を搬送する。その後、記録媒体搬送部１０８がカートリッジ１１１から記録再生部１０７へ追記型光ディスク１１０を搬送し、情報一時保存部１０２に保存されている所定の期間以上更新されていないデータを追記型光ディスク１１０に移動し（状態９０４）、所定の期間以上更新されていないデータの移動が終了となる（状態９０５）。
【００４８】
以上の方法により、データの再生後に保存期限設定を越えて保存されているデータを書換型光ディスク１０９より消去し、また所定の期間以上更新されていないデータを書換型光ディスク１０９から追記型光ディスク１１０に移動することで、書換型光ディスク１０９の記録領域を再利用することができるため、ユーザは記録媒体の運用においてコストメリットを得ることができる。
【実施例６】
【００４９】
図１０は第５実施例における情報記録再生システム１０００のブロック図である。本実施例の情報記録再生システム１０００は、インターフェース部１０１、情報一時保存部１０２、情報性質管理部１０３、情報性質抽出部１０４、記録媒体選択部１０５、制御部１０６、第一の記録再生部１００７ａ、第二の記録再生部１００７ｂ、記録媒体搬送部１０８、第一の記録再生部と一体で動作する書換型記録媒体１００９、追記型光ディスク１１０、第一の記録再生部１００７ａと書換型記録媒体１００９および追記型光ディスク１１０を格納するカートリッジ１１１とで構成される。
【００５０】
情報記録再生システム１０００において、インターフェース部１０１、情報一時保存部１０２、情報性質管理部１０３、情報性質抽出部１０４はそれぞれ、第１実施例におけるインターフェース部１０１、情報一時保存部１０２、情報性質管理部１０３、情報性質抽出部１０４と同一の動作をするので、ここでは説明を割愛する。
【００５１】
記録媒体選択部１０５は、情報性質抽出部１０４から受信した性質抽出結果が所定の条件を満足するか判断を行い、情報一時保存部１０２に保存されているデータの記録先として書換型記録媒体１００９もしくは追記型光ディスク１１０のいずれか一つを選択し、その記録媒体選択結果を制御部１０６に送信する。
【００５２】
制御部１０６は、記録再生動作に必要な制御コマンドを情報一時保存部１０２、第一の記録再生部１００７ａ、第二の記録再生部１００７ｂ、記録媒体搬送部１０８に対し送信する。
【００５３】
第一の記録再生部１００７ａは情報記録再生システム１０００より着脱可能であり、書換型記録媒体１００９と一体となって動作する。第一の記録再生部１００７ａは、記録媒体選択部１０５の記録媒体選択結果に基づいて、書換型記録媒体１００９に対し情報の記録再生を行う。第一の記録再生部１００７ａと書換型記録媒体１００９は一体で情報の記録再生動作を行うため、その両方でハードディスクやＳＳＤといったストレージ装置を構成する。
【００５４】
第二の記録再生部１００７ｂは、記録媒体選択部１０５の記録媒体選択結果に基づいて、追記型光ディスク１１０に対し情報の記録再生を行う。
記録媒体搬送部１０８は、追記型光ディスク１１０を第二の記録再生部１００７ｂに搬送すると共に、記録再生部１００７ｂからイジェクトされた追記型光ディスク１１０を、カートリッジ１１１に設けられた所定のスロットに搬送して収納する。
【００５５】
書換型記録媒体１００９は第一の記録再生部１００７ａと一体となって動作し、記録媒体搬送部１０８による記録媒体の搬送は不要である。
追記型光ディスク１１０は、少なくとも１枚以上の光ディスクで構成されており、記録媒体搬送部１０８により第二の記録再生部１００７ｂへと搬送され、データの記録再生が行われる。
【００５６】
カートリッジ１１１は、第一の記録再生部１００７ａと書換型記録媒体１００９（すなわち書換型ストレージ装置）、および追記型光ディスク１１０を格納しており、情報記録再生システム１０００より着脱することが可能である。また、カートリッジ１１１は複数のスロットを備えており、各スロットには１枚ずつ追記型光ディスク１１０を収納することができる。
【００５７】
本実施例で説明した情報記録再生システム１０００に対しても、第１実施例〜第４実施例で説明した記録再生方法を用いれば、情報記録再生システム１０００における記録待ちデータを、書換型記録媒体１００９に記録する記録待ちデータと、追記型光ディスク１１０に記録する記録待ちデータに分類して記録を行うことができる。なお、第１実施例〜第４実施例の方法を情報記録再生システムに適用するにあたり、書換型光ディスク１０９を書換型記録媒体１００９と適宜読み替える必要がある。
【００５８】
本方法により、編集によって更新されるデータや、将来的に削除されるデータが追記型光ディスク１１０に保存されるのを防ぐことができ、さらに書換型記録媒体１００９は消去された領域の再利用が可能であるため、ユーザは記録媒体に対する運用コストを低減でき、コストメリットを享受することができる。
【００５９】
なお、追記型光ディスク以外の追記型記録媒体として、追記型磁気テープや追記型半導体メモリなど、一度記録した情報を消去することができない機能を有する記録媒体を用いても、同様の動作を実現することが可能である。
【００６０】
また、本発明は上記した実施例に限定されるものではなく、様々な変形例が含まれる。例えば、上記した実施例は本発明を分かりやすく説明するために詳細に説明したものであって、必ずしも説明した全ての構成を備えるものに限定されるものではない。また、ある実施例の構成に他の実施例の構成を加えることも可能である。また、各実施例の一部について、他の構成の追加・削除・置換をすることが可能である。
【００６１】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてよい。
【符号の説明】
【００６２】
１０…ネットワーク、１１…サーバ、１２…ハードディスク、１００…情報記録再生システム、１０１…インターフェース部、１０２…情報一時保存部、１０３…情報性質管理部、１０４…情報性質抽出部、１０５…記録媒体選択部、１０６…制御部、１０７…記録再生部、１０８…記録媒体搬送部、１０９…書換型光ディスク、１１０…追記型光ディスク、１１１…カートリッジ
１０００…情報記録再生システム、１００７ａ…第一の記録再生部、１００７ｂ…第二の記録再生部、１００９…書換型記録媒体
【図１】
2014071923.tif 000003
【図２】
2014071923.tif 000004
【図３】
2014071923.tif 000005
【図４】
2014071923.tif 000006
【図５】
2014071923.tif 000007
【図６】
2014071923.tif 000008
【図７】
2014071923.tif 000009
【図８】
2014071923.tif 000010
【図９】
2014071923.tif 000011
【図１０】
2014071923.tif 000012